(57)【要約】【課題】  簡易な構成で部品点数の少なく、操作性に極めて優れたトリガー付きポンプディスペンサーを提供する。【解決手段】  ノズル部５と一体となったピストン７をトリガー４ｃを把持することにより押し下げてシリンダー４ｇ内の液体をノズル部５から噴射するポンプディスペンサー１であって、容器軸方向に沿って配置される筒状の胴部４ａの内側にシリンダー４ｇが一体形成され、該胴部４ａにトリガー４ｃがヒンジ部４ｂを介して一体形成されていることに存する。【効果】  容器軸方向に沿って配置される筒状の胴部にトリガーがヒンジ部を介して一体形成されているので、トリガーの回動となる支点を、極力、後方に配置でき、結果的にテコ比が大きく取れる。また、少なくとも胴部とトリガーとが合成樹脂で一体形成されることで、回動支点の動きが極めて正確となる。【選択図】  図２
2005219003.tif 000002
【特許請求の範囲】
【請求項１】
ノズル部と一体となったピストンをトリガーを把持することにより押し下げてシリンダー内の液体をノズル部から噴射するトリガー式ポンプディスペンサーにおいて、
容器軸方向に沿って配置される筒状の胴部の内側にシリンダーが一体形成され、該胴部にトリガーがヒンジ部を介して一体形成されていることを特徴とするトリガー式ポンプディスペンサー。
【請求項２】
前記胴部の下方に容器に取り付けるためのキャップが設けられていることを特徴とする請求項１に記載のトリガー式ポンプディスペンサー。
【請求項３】
前記胴部には、トリガーの回動を阻止するための阻止片が回動自在に設けられていることを特徴とする請求項２に記載のトリガー式ポンプディスペンサー。
【請求項４】
前記胴部には、手で支えるためのフックがトリガーと反対側に形成されていることを特徴とする請求項２に記載のトリガー式ポンプディスペンサー。
【請求項５】
作動前のトリガー端は、フックと同じ高さ位置に配置されていることを特徴とする請求項１に記載のトリガー式ポンプディスペンサー。
【請求項６】
前記ヒンジ部からピストンを押圧する押圧部までの距離と、ヒンジ部からトリガー端までの距離との比が、１：５以上であることを特徴とする請求項１に記載のトリガー式ポンプディスペンサー。
【請求項７】
作動前（トリガーを引く前の状態）のトリガー端の高さ位置と作動後のトリガー端の高さ位置との差は、２５ｍｍ以内の範囲に位置することを特徴とする請求項１に記載のトリガー式ポンプディスペンサー。
【請求項８】
前記ノズル部の先端部はトリガーの上端部より突出していることを特徴とする請求項１に記載のトリガー式ポンプディスペンサー。
【請求項９】
前記トリガーには、ピストンを押圧する凹んだ曲面状の突起部が形成され、該曲面状のピストンの曲面状の頭部を押し下げるものであることを特徴とする請求項１に記載のトリガー式ポンプディスペンサー。
【請求項１０】
ノズル部と一体となったピストンをトリガーを把持することにより押し下げてシリンダー内の液体をノズル部から噴射するトリガー式ポンプディスペンサーにおいて、
容器軸方向に沿って配置される筒状の胴部の内側にシリンダーが一体形成され、該胴部にトリガーがヒンジ部を介して一体形成され、該胴部の下方に容器に取り付けるためのキャップが設けられ、且つトリガーの回動を阻止するための阻止片が回動自在に設けられ、且つ手で支えるためのフックがトリガーと反対側で作動前（トリガーを引く前の状態）のトリガー端と同じ高さ位置に配置されており、前記ヒンジ部からピストンを押圧する押圧部までの距離と、ヒンジ部からトリガー端までの距離との比が、１：５以上であり、作動前のトリガー端の高さ位置と作動後のトリガー端の高さ位置との差は、２５ｍｍ以内の範囲にあることを特徴とする請求項１に記載のトリガー式ポンプディスペンサー。
【請求項１１】
請求項１ないし請求項１０のいずれか１項に記載のトリガー式ポンプディスペンサーを取り付けた噴霧容器。
【発明の詳細な説明】
【技術分野】
【０００１】
本発明は、トリガーを引くことによりピストンが下降するトリガー付きポンプディスペンサーに関する。
特に、容器軸方向に沿って配置される筒状の胴部に少なくともトリガーがヒンジ部を介して一体形成されているトリガー付きポンプディスペンサーに関する。
【背景技術】
【０００２】
従来、容器口部に取り付けたキャップに、ピストンと共に上下動可能な噴霧ヘッドを設けて、この噴霧ヘッドを下降させることにより容器内の液体に圧力を加えノズル部から液体を噴霧するポンプディスペンサーが知られている（例えば、特許文献１参照）。
ポンプディスペンサーの場合は、容器を手で握りながら人差し指（又は親指）を噴霧ヘッドに掛け、人差し指（又は親指）を上下方向に動かすことによりノズル部から液体が噴霧される。
しかし、液体の吐出量を多くしたり、吐出速度を速くしたりする場合には、指を上下方向に動かして調整する必要があるために、操作がしづらいものとなっている。
【０００３】
そのため、このように人差し指（又は親指）で直接噴霧ヘッドを押圧するタイプのポンプディスペンサーでは、例えば、長時間の作業を行う場合には指が疲労し関節を痛める場合があった。
このような問題を解決することができるポンプディスペンサーとして、指を横方向に動かせるトリガーを使用したものが開発されている（例えば、特許文献２参照）。
この特許文献２に記載のポンプディスペンサーは、図６に示すようにキャップの上に取り付けられる把持部１００を有しており、その後方側にはポンプディスペンサーの高さ方向に延出したボス部１００ａが形成されている。
【０００４】
このボス部１００ａの上端には、トリガー１０１ａを有するカバー１０１が枢着され、このカバー１０１は円盤状のピストン１０２の周囲を覆っている。
また、カバー１０１には突起部１０１ｂが形成されており、ピストン１０２と当接している。
更に、カバー１０１には、ピストン１０２の上部に設けられたノズル部１０３から液体を外方へ噴霧することができるように噴霧窓１０１ｃが形成されている。
【０００５】
そして、容器口部に螺合されたキャップ１０４を親指と人差し指との間の谷間で把持しながら、トリガー１０１ａに指を掛け、該トリガー１０１ａを後方へ引くと、ボス部１００ａの上端を枢軸Ｐとして突起部１０１ｂが下方へ回動し、ピストン１０２を押し下げる。
そのため、容器内の液体がノズル部１０３から噴霧される。
【０００６】
【特許文献１】特開２００３−２１２２６１号公報
【特許文献２】特開平８−１９６９５５号公報
【発明の開示】
【発明が解決しようとする課題】
【０００７】
しかしながら、図６に記載のようなポンプディスペンサーでは、把持部１００とカバー１０１とが別部材とされており、枢軸を形成する機構が複雑となり、部品点数の増加等を招いていた。
また、枢軸がカバー１０１の内側に位置しているために、テコ比が大きく取れない不具合があった。
このように、従来のポンプディスペンサーでは、その何れも、操作性の点からは、必ずしも満足できるものではない。
【０００８】
本発明は、かかる背景技術をもとになされたもので、上記の背景技術の問題点を克服するためになされたものである。
すなわち、本発明は、より簡易な構成で部品点数の少ないトリガー付きポンプディスペンサーを提供することを目的とする。
更に、操作性に極めて優れたトリガー付きポンプディスペンサーを提供することを目的とする。
【課題を解決するための手段】
【０００９】
かくして、本発明者は、このような課題背景に対して鋭意研究を重ねた結果、容器軸方向に沿って配置される筒状の胴部とトリガーとをビンジ部を介して一体成形することにより上記の問題点を解決することができることを見出し、この知見に基づいて本発明を完成させたものである。
【００１０】
すなわち、本発明は、（１）、ノズル部と一体となったピストンをトリガーを把持することにより押し下げてシリンダー内の液体をノズル部から噴射するトリガー式ポンプディスペンサーにおいて、容器軸方向に沿って配置される筒状の胴部の内側にシリンダーが一体形成され、該胴部にトリガーがヒンジ部を介して一体化されているトリガー式ポンプディスペンサーに存する。
【００１１】
そして、（２）、な前記胴部の下方に容器に取り付けるためのキャップが設けられているトリガー式ポンプディスペンサーに存する。
【００１２】
そしてまた、（３）、前記胴部には、トリガーの回動を阻止するための阻止片が回動自在に設けられているトリガー式ポンプディスペンサーに存する。
【００１３】
そしてまた、（４）、前記胴部には、手で支えるためのフックがトリガーと反対側に形成されているトリガー式ポンプディスペンサーに存する。
【００１４】
そしてまた、（５）、作動前のトリガー端は、フックと同じ高さ位置に配置されているトリガー式ポンプディスペンサーに存する。
【００１５】
そしてまた、（６）、前記ヒンジ部からピストンを押圧する押圧部までの距離と、ヒンジ部からトリガー端までの距離との比が、１：５以上であるトリガー式ポンプディスペンサーに存する。
【００１６】
そしてまた、（７）、作動前（トリガーを引く前の状態）のトリガー端の高さ位置と作動後のトリガー端の高さ位置との差は、２５ｍｍ以内の範囲であるに位置するトリガー式ポンプディスペンサーに存する。
【００１７】
そしてまた、（８）、前記ノズル部の先端部はトリガーの上端部より突出しているトリガー式ポンプディスペンサーに存する。
【００１８】
そしてまた、（９）、前記トリガーには、ピストンを押圧する凹んだ曲面状の突起部が形成され、該曲面状のピストンの曲面状の頭部を押し下げるものであるトリガー式ポンプディスペンサーに存する。
【００１９】
そしてまた、（１０）、ノズル部と一体となったピストンをトリガーを把持することにより押し下げてシリンダー内の液体をノズル部から噴射するトリガー式ポンプディスペンサーにおいて、容器軸方向に沿って配置される筒状の胴部の内側にシリンダーが一体形成され、該胴部にトリガーがヒンジ部を介して一体化され、該胴部の下方に容器に取り付けるためのキャップが設けられ、且つトリガーの回動を阻止するための阻止片が回動自在に設けられ、且つ手で支えるためのフックがトリガーと反対側で作動前（トリガーを引く前の状態）のトリガー端と同じ高さ位置に配置されており、前記ヒンジ部からピストンを押圧する押圧部までの距離と、ヒンジ部からトリガー端までの距離との比が、１：５以上であり、作動前のトリガー端の高さ位置と作動後のトリガー端の高さ位置との差は、２５ｍｍ以内の範囲にあるトリガー式ポンプディスペンサーに存する。
【００２０】
そしてまた、（１１）、上記（１）ないし（１０）のいずれか１項に記載のトリガー式ポンプディスペンサーを取り付けた噴霧容器に存する。
【００２１】
なお、本発明の目的に添ったものであれば、上記（１）から（１１）を適宜組み合わせた構成も採用可能である。
【発明の効果】
【００２２】
本発明によれば、容器軸方向に沿って配置される筒状の胴部にトリガーがヒンジ部を介して一体形成されているので、トリガーの回動となる支点を、極力、後方に配置でき、結果的にテコ比が大きく取れる。
また、少なくとも胴部とトリガーとが合成樹脂で一体形成されることで、回動支点の動きが極めて正確となる。
また、容器軸方向に沿って配置される筒状の胴部の内側にシリンダーが一体形成されているので、部品点数や生産コストの削減を図ることができる。
【００２３】
また、トリガーのピストン上方に位置する部分には、ピストンを押圧する曲面状の突起部が形成されているので、トリガーがスームズにピストンの頭部を押し下げることができる。
そのため、トリガーを握り締めることにより、ピストンを同様にスムーズに押し下げることができるので、液体の吐出量や吐出速度の調整が容易に行える。
【発明を実施するための最良の形態】
【００２４】
以下、本発明を実施するための最良の形態を図面に基づいて説明する。
図１は本発明の一実施形態に係るトリガー付きポンプディスペンサーを示した外観図である。
この一実施形態のポンプディスペンサー１は、樹脂製の短筒状のキャップ２を有している。
このキャップ２の外周面には滑り止め用の溝２ａがキャップ厚さ方向に沿って一定間隔で多数形成されている。
【００２５】
キャップ２の下方には、容器内の液体を吸い上げるための導入ホース３が設けられている。
一方キャップ２の上方には、合成樹脂製のカバー部材４が取り付けられている。
カバー部材４は、容器軸方向に沿って配置される円筒状の胴部４ａと、液体噴霧側（ノズル部５がある側）とは反対側に設けられたヒンジ部４ｂと、液体噴霧側に配置されヒンジ部４ｂを介して回動自在に一体化したトリガー４ｃとを備えている。
ヒンジ部４ｂは、カバー部材４の一部を小さい円弧状に折り曲げて形成されており、この部分がトリガー４ｃを回動させる際の支点となる。
【００２６】
また、カバー部材４にはトリガー４ｃとは反対側に、ポンプディスペンサー１の重量を手で支えるための板状のフック４ｄが形成されている。
ポンプディスペンサー１を握った場合、親指、又は親指と人差し指との股部が、フック４ｄの下方に当てがわれるのであるが、このフック４ｄは、ポンプディスペンサー１を支持して、その落下を防止するものである。
【００２７】
一方、カバー部材４のフック４ｄとは反対側に、トリガー４ｃの回動を阻止するための板状の阻止片４ｅが、薄肉部を介して回動自在に設けられている。
ポンプディスペンサー１を使用しないときは、阻止片４ｅによりトリガー４ｃの回動を拘束し、使用時に阻止片４ｅを下方に回動させてフリートとし、トリガー４ｃの拘束を解除すればよい。
このように不使用時に意図せずにトリガー４ｃを引き込んで液体を噴霧するような恐れはなくなるため、特に、液体が殺虫剤等の有毒物質の場合には有用である。
【００２８】
次に、図２を用いてポンプディスペンサー１の内部構造について説明する。
図２は、図１のポンプディスペンサー１の断面を示している。
カバー部材４の下端側にはリング突起４ｆが形成されており、ポンプディスペンサー１を上方から押し下げて該リング突起４ｆをキャップ２に挿入すると、リング突起４ｆがキャップ２の上端側に形成された引掛け部２ｂを乗り越えながらキャップ２に嵌まり込む。
【００２９】
トリガー４ｃはノズル部５を囲むように配設されているが、そのトリガー４ｃの上端部は、一定の長さに渡って一定の幅の切欠部４ｉが形成されている。
そのため、トリガー４ｃを回動させても、その切欠部４ｉにより、ピストン７を回避することができる。
ノズル部の先端部は、トリガー４ｃの作動前でもトリガーの上端部より突出した状態となっている。
カバー部材４には、円筒状の胴部４ａの内側に、多段状のシリンダー４ｇが一体に形成されている。
このシリンダー４ｇには、スプリング６が挿入され、該スプリング６によってシリンダー内に位置するピストン７が上方に付勢されている。
【００３０】
ピストン７には、スプリング６と一直線状に配置されたピストン本体７ａと、このピストン本体７ａの上端側にて水平方向に延出する円筒状の腕部７ｂとが形成されている。
ピストン本体７ａには通路７ｃが形成され、腕部７ｂに形成された通路７ｄと連通している。
また腕部７ｂの先端側にはノズル部５に嵌合されている。
腕部７ｂの通路７ｄは、更にノズル部５に形成された噴霧通路５ａに連通されている。
【００３１】
さてピストン７の頭は曲面状に形成されており、カバー部材４の裏面側に形成された凹んだ曲面状の突起部４ｈに当接している。
この凹んだ曲面状の突起部４ｈは、ピストン７の頭の曲面より曲率の長い、いわゆるなだらかな曲面となっているために、トリガー４ｃの回動によっても、的確に力を伝達することができる。
ノズル部５の先端にはノズル部５と一体成形されたノズルキャップ５ｂが回動自在に形成されている。
ノズルキャップ５ｂを開くには、ノズルキャップ５ｂの摘み部５ｃを持ち上げるようにすればよい。
【００３２】
次に、本実施形態のポンプディスペンサー１のトリガー４ｃを作動させる、すなわち引いて回動させる場合の動作について説明する。
図３は、ポンプディスペンサー１のトリガー４ｃを引く前の状態（一点鎖線）と引いた後の状態（実線）を示している。
【００３３】
ポンプディスペンサー１の作動させる、すなわちトリガー４ｃを引くに当たっては、先ず、フック４ｄの下方のキャップ外周面に、親指１０、又は親指１０と人差し指の股部を当てがい、例えば人差し指８と中指９とをトリガー４ｃに掛ける。
この場合、中指９はトリガー４ｃの下端付近となる位置にある。
そして、この状態から人差し指８と中指９を引き込んで、トリガー４ｃを図中一点鎖線の位置から実線の位置に移動させる。
【００３４】
作動前（トリガー４ｃを引く前の状態）において、トリガー４ｃの先端（すなわちトリガー端）はフック４ｄと同じ高さ位置にあるが、作動後（トリガー４ｃを最後まで引いた状態）においては、のトリガー端はフックの高さ位置よりも下方の高さ位置となる。
この場合、作動前と作動後のトリガー端の高さ位置の差Ｈは、２５ｍｍ以内となることが好ましい。
何故なら、この高さ位置の差Ｈの範囲であれば、通常の大人がトリガーを操作するのに、指の動きがスムーズに行える範囲であるからである。
なお、トリガーの操作は、フックの下に親指（又は親指と人指との股部）を当てて使用することを想定している。
特に、子供にとって２５ｍｍを越える場合は、スムーズな動きがやりにくくなることが、今回、実験的に確かめられている。
【００３５】
また、図４に示すように、ヒンジ部４ｂ（ヒンジ点Ｐ）からピストン７を押圧する押圧点Ｑまでの距離Ｌ１と、ヒンジ部４ｂ（ヒンジ点Ｐ）からトリガー端Ｒまでの距離Ｌ２との比（すなわち「テコ比」）は、１：５以上である。
因みに、従来のポンプディスペンサー１では、このような「テコ比」とすることは、その構造上難しかった。
このテコ比を１：５以上にできたのは、本発明のようなヒンジ点Ｐを、極力、後方に設定できるような構造、すなわち該胴部にトリガーがヒンジ部を介して一体形成される構造にしたことで達成できたものである。
そのために、先述したトリガー端の高さ位置の差Ｈを２５ｍｍ以内にすることと、このテコ比を１：５以上にすることで、より相乗的に指が扱い易くなるのである。
【００３６】
図５は、作動後（トリガー４ｃを最後まで引いた状態）のポンプディスペンサー１の断面を示している（尚、ノズルキャップ５ｂを閉じた状態を示した）。
ピストン７は、トリガー４ｃが回動してその角度が変わり、突起部４ｈがピストンの頭部を押し下げてピストンはスプリング６の反発力に抗して下降する。
このとき、トリガー４ｃが下方に回動しても切欠部４ｉがあるために、トリガーの回動が妨げられるようなことは起きない。
トリガーを下方に回動していくと、ノズル部５が大きく露出する。
そのため露出したノズル部５を目印にして、噴射対象位置に対して的確に焦点を合わせることができ、ターゲットが狙い易くなる。
【００３７】
上述した一実施形態のポンプディスペンサー１では、ピストン７はカバー部材４により覆われ、該カバー部材４には、容器軸方向に沿って配置される筒状の胴部４ａと、液体噴霧側とは反対側に配置されるヒンジ部４ｂと、液体噴霧側に垂下しヒンジ部４ｂを中心に回動するトリガー４ｃと、シリンダー４ｇとが一体に形成されているので、部品点数や生産コストの削減等を図ることができる。
また、少なくとも胴部とトリガーとが合成樹脂で一体形成されることで、回動支点の動きが極めて正確となる。
また胴部にトリガーがヒンジ部を介して一体形成されているので、トリガーの回動となる支点を、大きく後方に配置できてテコ比が大きく取れる。
【００３８】
また、トリガーを握り締めることにより、ピストンを同様にスムーズに押し下げることができるので、液体の吐出量や吐出速度の調整が容易に行える。
【００３９】
またピストン７の頭は曲面状に形成されており、カバー部材４の裏面側に形成された凹んだ曲面状の突起部４ｈによって押圧されるために、トリガーを引く力がピストン７に的確に伝えられることとなる。
【００４０】
以上、本発明を説明してきたが、本発明は上述した一実施形態にのみ限定されるものではなく、その本質を逸脱しない範囲で、他の種々の変形が可能であることはいうまでもない。
例えば、上述した一実施形態では、ヒンジ部４ｂをカバー部材４の一部を円弧状にした例について説明したが、鋭角に折り曲げた形状も当然可能である。
また、胴部とシリンダーとトリガーとが一体形成されているが、胴部とシリンダーのみ一体形成することも可能である。
【図面の簡単な説明】
【００４１】
【図１】図１は、本発明の一実施形態に係るトリガー付きポンプディスペンサーを示す説明図である。
【図２】図２は、図１のポンプディスペンサーの半断面図である。
【図３】図３は、トリガーを引く前の状態と引いた後の状態とを示す説明図である。
【図４】図４は、ヒンジ部から突起部までの距離とヒンジ部からトリガー端までの距離とについて説明図である。
【図５】図５は、トリガーを引いた後の状態を示すポンプディスペンサーの半断面図である。
【図６】図６は、従来のトリガー付きポンプディスペンサーの一例を示す説明図である。
【符号の説明】
【００４２】
１  ポンプディスペンサー
２  キャップ
２ａ  溝
２ｂ  引掛け部
３  導入ホース
４  カバー部材
４ａ  胴部
４ｂ  ヒンジ部
４ｃ  トリガー
４ｄ  フック
４ｅ  阻止片
４ｆ  リング突起
４ｇ  シリンダー
４ｈ  突起部
４ｉ  切欠部
５  ノズル部
５ａ  液体噴霧穴
５ｂ  ノズルキャップ
５ｃ  摘み部
６  スプリング
７  ピストン
７ａ  ピストン本体
７ｂ  腕部
７ｃ  通路
７ｄ  通路
８  人差し指
９  中指
１０  親指
１００  把持部
１００ａ  ボス部
１０１  カバー
１０１ａ  トリガー
１０１ｂ  突起部
１０１ｃ  噴霧窓
１０２  ピストン
１０３  ノズル部
１０４  キャップ
Ｐ  ヒンジ点
Ｑ  押圧点
Ｒ  トリガー端
【図１】
2005219003.tif 000003
【図２】
2005219003.tif 000004
【図３】
2005219003.tif 000005
【図４】
2005219003.tif 000006
【図５】
2005219003.tif 000007
【図６】
2005219003.tif 000008